(57)【要約】【課題】より細かな化粧を施すのに適した化粧用ペンの芯材の提供。【解決手段】化粧用ペンの芯材３は、繊維質からなり、所定の軸線方向Ｌに沿って延伸するように形成されたものであって、軸線方向Ｌの一端側に位置してペン先となる先端部３２を有し、先端部３２は、軸線方向Ｌと直交する所定方向にある厚みが先端に向かって漸減するように形成されており、先端部３２の先端面３２１には、軸線方向Ｌに沿って切り込まれた切り込み３２３が少なくとも１つ設けられていることを特徴とする。【選択図】図２
0003196621.tif 000002
【実用新案登録請求の範囲】
【請求項１】
繊維質からなり、所定の軸線方向に沿って延伸するように形成された、化粧用ペンの芯材であって、
前記軸線方向の一端側に位置してペン先となる先端部を有し、
前記先端部は、前記軸線方向と直交する所定方向にある厚みが先端に向かって漸減するように形成されており、
前記先端部の先端面には、前記軸線方向に沿って切り込まれた切り込みが少なくとも１つ設けられていることを特徴とする化粧用ペンの芯材。
【請求項２】
前記先端面は、前記先端部の前記厚みの方向と直交する方向に長さを有し、該長さの方向が、前記軸線方向と直交するように形成されている
ことを特徴とする請求項１に記載の化粧用ペンの芯材。
【請求項３】
前記先端面は、前記先端部の前記厚みの方向と直交する方向に長さを有し、該長さの方向が、前記軸線方向と斜めに交わるように形成されている
ことを特徴とする請求項１に記載の化粧用ペンの芯材。
【請求項４】
複数の前記切り込みが前記先端面の前記長さの方向に沿って並び且つそれら切り込みが前記先端面の前記長さの方向の一方から他方に向かって次第に深くなるように設けられている
ことを特徴とする請求項２または３に記載の化粧用ペンの芯材。
【請求項５】
前記軸線方向の他端側に位置する胴部を更に有し、
前記胴部は、前記軸線方向と直交する断面が円形を呈するように形成されており、
前記先端部は、前記胴部から前記軸線方向両側が次第に窄まるように延伸してなったものである
ことを特徴とする請求項１〜４のいずれか一項に記載の化粧用ペンの芯材。
【請求項６】
開口端を有するペン軸と、
前記先端部が前記ペン軸の前記開口端から露出するように挿入されて前記ペン軸に設けられた請求項１〜５のいずれか一項に記載の化粧用ペンの芯材と、
前記芯材の前記先端部を覆うように前記ペン軸の前記開口端に被せることができるように形成されたキャップと、を備えることを特徴とする化粧用ペン。
【請求項７】
開口端を有するペン軸と、
前記胴部が前記ペン軸内に収められると共に、前記先端部が前記ペン軸の前記開口端から露出するように設けられた請求項５に記載の化粧用ペンの芯材と、
前記芯材の前記先端部を覆うように前記ペン軸の前記開口端に被せることができるように形成されたキャップと、を備えることを特徴とする化粧用ペン。
【請求項８】
前記ペン軸の前記開口端には、前記芯材が挿入される開口と、前記開口の周縁からそれぞれ内側に向かって突き出た複数の係合突起とが設けられており、複数の前記係合突起がそれぞれ周囲から前記芯材の前記胴部に当接して前記芯材が前記ペン軸に固定されている
ことを特徴とする請求項７に記載の化粧用ペン。
【考案の詳細な説明】
【技術分野】
【０００１】
本考案は、化粧用ペンに関し、特には化粧用ペンに用いられる芯材に関するものである。
【背景技術】
【０００２】
図１に、従来の化粧用ペン１０を示す。化粧用ペン１０は、截頭円錐型で端面が開口している開口端部１１１を有する筒状のペン軸１１と、ペン軸１１内に収められる芯材１２と、ペン軸１１の開口端部１１１に被せられるキャップ１３とで構成されている。ペン軸１１は内部に液状の化粧顔料が装填される。芯材１２は、吸液性を有するように綿やフェルト等の繊維質からなる棒状のものであり、一端側である先端部１２１が開口端部１１１の開口から露出し、他端側が開口端部１１１の開口からペン軸１１内に挿入されるようにしてペン軸１１内に収められている。先端部１２１は、先端に向かって厚みが漸減し且つ尖った刃型に形成されており、その先端面が芯材１２の長さ方向に斜めに交わる斜面となっている。使用の際には、先端部１２１の主に先端面を眉や睫毛や目元等の各部位に接触させるようにして、芯材１２が吸引した化粧顔料を上記各部位に塗る。
【考案の概要】
【考案が解決しようとする課題】
【０００３】
上記従来の化粧用ペンは、アイライン、アイブロー、マスカラ、マニキュアなどを施す道具として用いることができる。しかしながら、上記従来の化粧用ペンにおいて、芯材１２は繊維質が密実に結束するように構成されたものであり硬質のものである。そこで、例えば化粧用ペンをアイライナーとして用いた場合、ペン先（先端部１２１）の肌触りが滑らかでない上に、瞼の微細な凹凸に沿うことができず、描かれるアイラインがかすれたりして不自然なものとなる。また、先端部１２１の先端面は連続した１つの面であり、化粧用ペンをアイブローやマスカラとして用いた場合、全面が眉毛や睫毛に当たるので、局部的に塗ったり毛を梳きながら塗ったりするといった細かな化粧を施すことが難しい。
【０００４】
本考案は、上記従来品の問題点に鑑みてなされたものであり、その目的は、より細かな化粧を施すのに適した化粧用ペンの芯材の提供にある。
【課題を解決するための手段】
【０００５】
上記目的を達成するための手段として、本考案は、繊維質からなり、所定の軸線方向に沿って延伸するように形成された、化粧用ペンの芯材であって、前記軸線方向の一端側に位置してペン先となる先端部を有し、前記先端部は、前記軸線方向と直交する所定方向にある厚みが先端に向かって漸減するように形成されており、前記先端部の先端面には、前記軸線方向に沿って切り込まれた切り込みが少なくとも１つ設けられていることを特徴とする化粧用ペンの芯材を提供する。
【０００６】
また、本考案は、上記芯材を含む化粧用ペンとして、開口端を有するペン軸と、前記先端部が前記ペン軸の前記開口端から露出するように挿入されて前記ペン軸に設けられた上記芯材と、該芯材の前記先端部を覆うように前記ペン軸の前記開口端に被せることができるように形成されたキャップと、を備えることを特徴とする化粧用ペンを提供する。
【考案の効果】
【０００７】
上記手段によれば、芯材の先端部の厚みが先端に向かって漸減すると共にその先端面に切り込みが設けられていることで、先端部の先端が歯状になり可撓性が具わる。そこで、本考案に係る化粧用ペンを肌に用いると、芯材の先端部が肌にしなやかに密接するようになり、施される化粧がより細やかで自然なものとなる。また、眉毛や睫毛に用いると、先端部で毛を梳きながら化粧を施すことができ、より細かな化粧を施すことができる。
【図面の簡単な説明】
【０００８】
【図１】従来の化粧用ペンを分解して示す側面図である。
【図２】本考案に係る化粧用ペンの第１の実施形態を示す分解斜視図である。
【図３】図２のＩＩＩ―ＩＩＩ線で切った断面図である。
【図４】上記第１の実施形態を示す部分側面図である。
【図５】本考案に係る化粧用ペンの使用態様の一例を示す説明図である。
【図６】本考案に係る化粧用ペンの使用態様の一例を示す説明図である。
【図７】本考案に係る化粧用ペンの使用態様の一例を示す説明図である。
【図８】本考案に係る化粧用ペンの第２の実施形態を示す部分側面図である。
【図９】本考案に係る化粧用ペンの第２の実施形態の変化例を示す部分側面図である。
【図１０】本考案に係る化粧用ペンの第３の実施形態を示す部分側面図である。
【考案を実施するための形態】
【０００９】
以下、添付図面を参照しながら、本考案に係る化粧用ペンの芯材及びこれを備える化粧用ペンの具体的な各実施形態を詳細に説明する。
【００１０】
＜第１の実施形態＞
図２、図３、図４には、本考案に係る化粧用ペンの第１の実施形態が示されている。
化粧用ペンは、ペン軸２と、芯材３と、キャップ４を備える。
【００１１】
ペン軸２は、ペン先側である開口端２１と、ペン尻側である閉塞端２２とを両端に有する長手状に形成されている。開口端２１には、ペン軸２の内部空間に連通する開口２１１と、開口２１１の周縁からそれぞれ内側に向かって突き出た複数の係合突起２１２とが設けられている。また、ペン軸２の内部空間は液状の化粧顔料を装填することができるように設けられている。
【００１２】
芯材３は、吸液性が具わるように繊維質からなり、所定の軸線方向Ｌに沿って延伸するように長手状に形成されたものであり、軸線方向Ｌの一端側に位置してペン先となる先端部３２と、軸線方向Ｌの他端側に位置する胴部３１とを有する。芯材３は、胴部３１がペン軸２の開口２１１からペン軸２の内部空間に挿入されると共に、先端部３２が開口２１１から突出するようにペン軸２内に収められる。なお、芯材３をペン軸２内に収めると、上述の複数の係合突起２１２がそれぞれ周囲から芯材３の胴部３１に当接して押さえつけるようになり、これにより芯材３が固定される（図３の断面図を参照）。
【００１３】
キャップ４は、ペン軸２の開口端２１から露出する芯材３の先端部３２を覆うようにペン軸２の開口端２１に被せることができるように形成されたものである。
【００１４】
以下では、芯材３の構造をより詳しく説明する。
【００１５】
胴部３１は、軸線方向Ｌと直交する断面が円形を呈するように形成されている。
【００１６】
先端部３２は、胴部３１から軸線方向Ｌ両側が次第に窄まるように延伸して先端付近では軸線方向Ｌと直交する断面が矩形を呈する板状になるように形成されている。即ち、先端部３２は、軸線方向Ｌと直交する所定方向にある厚みが先端に向かって漸減するように形成されており、先端部３２の先端面３２１は、先端部３２の厚みの方向Ｙ（図２、図４参照）と直交する方向に長さを有し、その長さの方向Ｘ（図２、図４参照）が本実施形態においては図２に示されるように軸線方向Ｌと斜めに交わるように形成されている。
【００１７】
先端部３２の先端面３２１には、軸線方向Ｌに沿って切り込まれた切り込み３２３が少なくとも１つ設けられている。そして、この切り込み３２３により、先端面３２１の長さの方向Ｘ両端に、また切り込み３２３が２つ以上の場合には隣接する切り込み３２３の間にも、フォークの歯状の突起部３２２がそれぞれ形成される。具体例として、本実施形態では図示（図２、図４、図５〜図７）のように切り込み３２３を３つ設けたので、突起部３２２が４つ形成されている。なお、３つの切り込み３２３は先端面３２１の長さの方向Ｘに沿って並んでいる。また、各切り込み３２３は深さが同じであり、即ち、本実施形態では先端面３２１が軸線方向Ｌに対して斜めなので、各切り込み３２３の股も図示のように段状になっている。
【００１８】
芯材３が上述のようにペン軸２の内部空間に収められると、ペン軸２の内部空間に装填された化粧顔料を胴部３１が吸引し毛管現象によって先端部３２そしてその突起部３２２まで吸い上げる。これにより本考案に係る化粧用ペンを化粧に供することができる。
【００１９】
なお、本考案において先端部３２の切り込み３２３の数量に限定はなく、複数の突起部３２２が形成されるように少なくとも１つ設けられればよい。また、先端面３２１を、本実施形態では上述のようにその長さの方向Ｘが軸線方向Ｌと斜めに交わるように形成したが、軸線方向Ｌと直交するように形成することもできる（第２の実施形態を参照）。また、各切り込み３２３の深さも、本実施形態のようにそれぞれ同じにする必要は無く、それぞれ深さの異なる切り込み３２３を設けてもよい（第３の実施形態を参照）。
【００２０】
加えて、芯材３のペン軸２への固定は、本実施形態の係合突起２１２によるものに限らないが、係合突起２１２による方式を用いれば、隣り合う係合突起２１２の間に隙間があるので、この隙間を通してペン軸２の内部に空気が通るようになり、ペン先（芯材３の先端部３２）からの化粧顔料の出がよくなる。
【００２１】
以下、図５、図６、図７を参照に、上述の構成を有する化粧用ペンの使用態様の各例を説明する。
【００２２】
図５は、本考案に係る化粧用ペンがいわゆるアイライナーとして用いられている態様を示している。芯材３の先端部３２を、目の縁５に接触させる。この際、先端部３２を、先端面３２１の長さの方向Ｘに沿って動かせば、先端部３２の厚みとほぼ同じ太さのアイラインが描かれる。本考案に係る化粧用ペンは、このように用いるに当たって、芯材３の先端部３２の切り込み３２３によって形成された突起部３２２に可撓性が具わるので、先端部３２が目の縁５に接触しながら動かされる際に、突起部３２２のしなりによって目の縁５の肌にしなやかに密接するようになり、アイラインが描きやすい上に、描かれるアイラインもかすれ等がなく、所望のラインを描くことができるようになる。
【００２３】
図６および図７は、それぞれ本考案に係る化粧用ペンがいわゆるマスカラまたはアイブローとして用いられている態様を示している。芯材３の先端部３２を、睫毛６または眉毛７（眉下の肌を含む）に接触させる。本考案に係る化粧用ペンは、このように用いるに当たって、先端部３２に切り込み３２３によって形成された複数の突起部３２２を有するので、これら突起部３２２によって睫毛６または眉毛７を梳き分けながら芯材３が吸い上げた化粧顔料を睫毛６または眉毛７にむらなく塗ることができるようになる。また所望により、全体の突起部３２２を睫毛６または眉毛７に接触させるか、一部の突起部３２２のみを接触させるかを選択することができ、より細かな化粧を施すことが可能となる。
【００２４】
なお、図示及び上記説明の他にも、本考案に係る化粧用ペンは、例えばペンタイプのマニキュアとして使用することもできる。
【００２５】
＜第２の実施形態＞
図８には、本考案に係る化粧用ペンの第２の実施形態が示されている。第１の実施形態と同様であるが、本実施形態では、先端面３２１が軸線方向Ｌと直交するように形成されている。また、図８では、切り込み３２３を３つ設けた例が、図９では、切り込みを１つだけ設けた例がそれぞれ示されている。
【００２６】
＜第３の実施形態＞
図１０には、本考案に係る化粧用ペンの第３の実施形態が示されている。第２の実施形態と同様で、先端面３２１が軸線方向Ｌと直交するように形成されている。更に、複数（図示では２つ）の切り込み３２３が先端面３２１の長さの方向Ｘに沿って並び且つそれら切り込み３２３が先端面３２１の長さの方向Ｘの一方から他方に向かって次第に深くなるように設けられている。なお、本実施形態も他の実施形態と同様に切り込み３２３を設ける数に限定はなく、３つ、４つあるいはそれ以上設けることも可能である。
【００２７】
以上、本考案の好ましい実施形態を説明したが、本考案はこれに限定されるものではなく、その要旨を逸脱しない範囲で種々変更可能である。
【産業上の利用可能性】
【００２８】
本考案に係る化粧用ペンの芯材は、ペン先がよりしなやかなので、より細かな化粧を施すのに適した化粧用ペンに適している。本考案に係る化粧用ペンは、例えばペンタイプのマスカラ、アイライナー、アイブロー、マニキュア、ペディキュアなどの化粧道具として有用である。
【符号の説明】
【００２９】
２    ペン軸
２１    開口端
２１１    開口
２１２    係合突起
２２    閉塞端
３    芯材
３１    胴部
３２    先端部
３２１    先端面
３２２    突起部
３２３    切り込み
４    キャップ
Ｌ    軸線方向
Ｙ    先端部の厚みの方向
Ｘ    先端面の長さの方向
【図１】
0003196621.tif 000003
【図２】
0003196621.tif 000004
【図３】
0003196621.tif 000005
【図４】
0003196621.tif 000006
【図８】
0003196621.tif 000007
【図９】
0003196621.tif 000008
【図１０】
0003196621.tif 000009
【図５】
0003196621.tif 000010
【図６】
0003196621.tif 000011
【図７】
0003196621.tif 000012